(57)【要約】【課題】現在時刻表示とタイマー表示とが行えるように設けられているタイマーにおいて、必要時にタイマー表示への切り換えが簡単に行えるようにし、現在時刻表示の機能とタイマー表示の機能との両方を有効に利用できるタイマーを提供する。【解決手段】タイマー１を、タイマー表示と現在時刻表示とが切り換え可能な表示部５と、生体の近接を検知可能な非接触式センサー部６と、非接触式センサー部６が生体の近接を検知したときに、表示部５において現在時刻表示をタイマー表示に切り換えてから、タイマー設定時間への時間経過を表示させる制御部７とを備えるものとした。【選択図】図１
0003210856.tif 000002
【実用新案登録請求の範囲】
【請求項１】
タイマー表示と現在時刻表示とが切り換え可能に設けられている表示部と、手を近付ける等の生体の近接を検知可能に設けられている非接触式センサー部と、前記非接触式センサー部が生体の近接を検知したときに、前記表示部において現在時刻表示をタイマー表示に切り換えてから、タイマー設定時間への時間経過を表示させる制御部とを備えていることを特徴とするタイマー。
【請求項２】
上記制御部は、タイマー設定時間の時間経過が終了してから所定時間後に、表示部のタイマー表示を現在時刻表示に切り換えるように表示部を制御するものである請求項１に記載のタイマー。
【請求項３】
上記非接触式センサー部はタイマー正面に設けられていて、該非接触式センサー部の位置が不可視とされている請求項１又は２に記載のタイマー。
【考案の詳細な説明】
【技術分野】
【０００１】
本考案は、衛生面で配慮が必要な使用環境(研究室、飲食店、学校等)で予め設定されたタイマー時間をカウントダウンして、その時間を管理するために用いるタイマーに関するものである。
【背景技術】
【０００２】
従来から上述したような各使用環境において時間を管理するためのタイマーは多種市販されている。しかし、近年特に食中毒やインフルエンザの予防等を図る上で、食品加工施設等で衛生に配慮をした設備環境が重要視されている。また、一般のオフィスや学校等の施設においても、作業前や食事前、トイレ使用後の衛生管理が重要視されている。よってこのような衛生面に配慮が必要な環境で使用するタイマーでは、使用者及びタイマー自体の汚れに対しても配慮が必要になってくる。
【０００３】
上記のような用途に向くタイマーとしては、例えば非特許文献１に示されているように、ケース正面に液晶表示の表示部分と、スタート・ストップスイッチやタイマー設定時間の設定操作等をする押しボタン操作部分とを配置したタイマーがある。
【０００４】
さらにこのタイマーは、押しボタン操作部分に、時刻モードスイッチとタイマーモードスイッチがあり、どちらかを選択して押すことで、表示部分が現在時刻表示とタイマー表示の何れかに切り換えることができる。そしてタイマーモードにおいて、押しボタン操作部分のテンキーを操作してタイマー設定時間を設定するものである。
【０００５】
そしてタイマーとして使用する場合、タイマーモードスイッチを押してタイマーモードの状態にし、スタート・ストップスイッチを押すことで、タイマー設定時間までの時間経過がカウントダウンで表示部分に表示され、タイマー設定時間が経過すれば、内蔵のブザーが音を発するように設けられている。
【先行技術文献】
【非特許文献】
【０００６】
【非特許文献１】インターネットｈｔｔｐ：／／ｗｗｗ．ｋｋ−ｃｕｓｔｏｍ．ｃｏ．ｊｐ／ｌｉｖｉｎｇ／８９９．ｈｔｍｌ
【考案の概要】
【考案が解決しようとする課題】
【０００７】
上述した従来のタイマーは、時刻モードスイッチやタイマーモードスイッチを押すことで、表示部分が現在時刻表示からタイマー表示に、またタイマー表示から現在時刻表示に切り換わるようになっているものであるが、例えば手を洗おうとするたびにタイマーモードに切り換えることは、操作の煩雑さも手伝って敬遠され易い。
【０００８】
そのため、タイマーモードの状態で使用した後もそのモードのままにしておくことが多くなり、タイマーでの現在時刻表示の機能が有効に利用されない不具合があった。
【０００９】
そこで本発明は上記事情に鑑み、現在時刻表示とタイマー表示とが行えるように設けられているタイマーにおいて、必要時にタイマー表示への切り換えが簡単に行えるようにすることを課題とし、現在時刻表示の機能とタイマー表示の機能との両方を有効に利用できるタイマーを提供することを目的とする。
【課題を解決するための手段】
【００１０】
（請求項１の考案）
本考案は上記課題を考慮してなされたもので、タイマー表示と現在時刻表示とが切り換え可能に設けられている表示部と、手を近付ける等の生体の近接を検知可能に設けられている非接触式センサー部と、前記非接触式センサー部が生体の近接を検知したときに、前記表示部において現在時刻表示をタイマー表示に切り換えてから、タイマー設定時間への時間経過を表示させる制御部とを備えていることを特徴とするタイマーを提供して、上記課題を解消するものである。
【００１１】
（請求項２の考案）
そして本考案において、上記制御部は、タイマー設定時間の時間経過が終了してから所定時間後に、表示部のタイマー表示を現在時刻表示に切り換えるように表示部を制御するものであることが良好である。
【００１２】
（請求項３の考案）
また本考案において、上記非接触式センサー部はタイマー正面に設けられていて、該非接触式センサー部の位置が不可視とされていることが良好である。
【考案の効果】
【００１３】
（請求項１の考案の効果）
請求項１に係る考案によれば、非接触式センサー部に手等を近付けるという簡単な操作で、表示部が現在時刻表示からタイマー表示に切り換わり、タイマー設定時間（例えば６０秒間）に向けて時間が経過する状態が表示部で表示されるようになるので、表示の切り換え操作で生じていた従来の煩雑さを解消でき、利用勝手が良好なタイマーとなる。
【００１４】
また生体の近接を検知する非接触式センサー部を備えているので、表示部の表示を現在時刻表示からタイマー表示に切り換えるに際し、タイマーを触るという操作が無くなる。そのため、手からタイマーに汚れが移ったり、タイマーに付着した汚れが手に移るという問題が生じない。
【００１５】
（請求項２の考案の効果）
請求項２に係る考案によれば、表示部は、タイマー設定時間の時間経過が終了してから所定時間後に現在時刻表示に切り換わるので、タイマーを、表示部に現在時刻表示させた時計として利用できるという効果を奏する。
【００１６】
（請求項３の考案の効果）
請求項３に係る考案によれば、タイマーを見ても非接触式センサー部の位置が判らないことから、使用者にその非接触式センサー部の位置を意識させることがなく、興味本位で非接触式センサー部の部分を直接触ってしまうという不具合を防止できる。
【００１７】
また、非接触式センサー部をケースの内部に組み付ける際、タイマー正面に対する位置合わせに高い精度が必要とされない。そのため、タイマーの製造に際して前記非接触式センサー部の組み付け作業が簡単になるという効果を奏する。
【図面の簡単な説明】
【００１８】
【図１】実施の形態での現在時刻表示をタイマー正面から見た状態で示す説明図である。
【図２】同じくタイマー表示をタイマー正面から見た状態で示す説明図である。
【図３】実施の形態をタイマー後面から見た状態で示す説明図である。
【図４】実施の形態を上方から見た状態で示す説明図である。
【図５】実施の形態を下方から見た状態で示す説明図である。
【図６】実施の形態を側方から見た状態で示す説明図である。
【考案を実施するための形態】
【００１９】
つぎに本考案を図１から図６に示す実施の形態に基づいて詳細に説明する。図中１はタイマーで、該タイマー１は、図４から図６に示されているようにタイマー正面２となるケース半体とタイマー後面３となるケース半体とを組み合わせて板状のタイマーケース４を形成し、このタイマーケース４の内部に、表示部５と非接触式センサー部６と制御部７とが組み入られているものである。
【００２０】
また図３に示されているようにタイマー後面３には、図示しない乾電池（電源）を収容した電池ボックスがあって、これを電池蓋８が覆っている。そして電池蓋８に重なる配置にしてスタンド９が引き起こし可能にして取り付けられており、タイマーケース４の後方に向けて起こしたスタンド９で、タイマー１が後傾した状態で縦置きできるようにしている。
【００２１】
さらに、タイマー後面３には磁石１０が取り付けられていて、タイマー１を、磁石性を備えるパネル面や壁面に配置できる。また符号１１は吊り下げ用穴であり、フック等にこのタイマー１を掛け留めることもできるようにしている。
【００２２】
（表示部）
図１と図２に示されているように上記表示部５は、タイマー正面２に開かれた窓１２に液晶表示面を対応位置させるようにしてタイマーケース４に取り付けられている。この表示部５は、タイマー表示と現在時刻表示とが切り換え可能に設けられているものであって、タイマー表示と現在時刻表示との切り換えが制御部７によって制御されている。
【００２３】
図２に示されているように表示部５でのタイマー表示はタイマー設定時間への時間経過をカウントダウンで表示するものである。タイマー設定時間はタイマー後面３に設けられている背面ボタン１３を操作することで設定される。タイマー設定時間を、例えば３０秒間に設定すれば、後述するように表示部５でタイマー表示する際、制御部７によって、３０秒の表示をしてからタイマー設定時間（３０秒間）への一秒ごとのカウントダウンの表示（減算表示）をするように制御される。
【００２４】
図１で示されている表示部５での現在時刻表示も、上記背面ボタン１３を操作しながら現在時刻の時、分の選択を行なって設定されるものであり、設定した後に制御部７の制御の下で現在時刻を表示する。
【００２５】
（非接触式センサー部）
非接触式センサー部６はタイマー正面２での表示部５の下方に配置されている。そしてこの非接触式センサー部６はタイマー正面２となっているケース半体のケース内面側に取り付けられていて、タイマー１を外方から見たときに非接触式センサー部６が不可視となるようにしている。
【００２６】
そしてこの非接触式センサー部６は、生体の近接を検知するセンサー素子から構成されていて、使用者が上記表示部５の下方の領域に手等を近付けるようにすればよく、タイマー正面２から約２〜３ｃｍの距離に近付いたときに生体の近接を検知できるように設定されている。
【００２７】
勿論、ケース半体の非接触式センサー部６が対応位置している部分は、非接触式センサー部６の生体の近接の検知を妨げない素材から成形されている。
【００２８】
（制御部）
制御部７は、上述したように表示部５が現在時刻表示の状態とされているときに、時刻を時、分、午前／午後の表示にて示すように制御し、また表示部５がタイマー表示の状態とされているときには、タイマー設定時間への時間経過をカウントダウンの表示にて示すように制御するものである。
【００２９】
さらにこの制御部７は、上記表示部５に現在時刻表示とタイマー表示との切り換えを行なわせるものであって、本実施の形態のタイマー１では、従来のように使用者が手操作で現在時刻表示とタイマー表示との切り換えを行なうものでない。
【００３０】
上述したように表示部５での現在時刻表示からタイマー表示への切り換えは、制御部７が行なうものであり、表示部５が現在時刻表示の状態であって非接触式センサー部６が生体の近接を検知したときに、前記現在時刻表示をタイマー表示に切り換えるように設けられている。そしてこの切り換えに続けて、タイマー設定時間への時間経過をカウントダウンにて表示させるように制御する。
【００３１】
さらにタイマー設定時間の時間経過が終了すると、制御部７は、時間経過終了の時点から予め設定された所定時間の経過後（例えば１０秒後）に、表示部５のタイマー表示を現在時刻表示に切り換えるように制御するものとされている。これによってタイマー表示を利用した作業が終了して、以降、タイマー表示を利用する作業が無い場合には、使用者が自分で切り換えの操作を行なうこと無しに自動的に現在時刻表示に切り換わり、タイマー１が時計として利用できる。
【００３２】
なお、本実施の形態のタイマー１は図示していないブザーが内蔵されている。このブザーは、上記カウントダウンの開始の時点で短かく鳴動するとともに、カウントダウンが終了した後（タイマー設定時間の時間経過が終了した後）、予め設定した時間で鳴動するように設けられており、タイマー１の使用者側に、カウントダウンの開始とカウントダウンの終了とをブザー音でも把握できるようにしている。また、ブザーは鳴らさない設定にすることもできる。
【００３３】
さらに図１等に示されているように窓１２の下部に、ＬＥＤ素子を用いてなる発光部１４が設けられていて、カウントダウンが終了した後、上記ブザーの鳴動動作に合わせて点滅するものとしている。
【００３４】
なお、本実施の形態のタイマー１では、表示部５の表示をタイマー表示の状態のままとする設定も上記背面ボタン１３の部分で行える。また背面ボタン１３に隣接する位置に、上記ブザーの鳴動時間を設定するボタン１５、ブザーの音量を設定するボタン１６が設けられている。
【符号の説明】
【００３５】
１…タイマー
２…タイマー正面
４…タイマーケース
５…表示部
６…非接触式センサー部
７…制御部
１２…窓
１３…背面ボタン
【図１】
0003210856.tif 000003
【図２】
0003210856.tif 000004
【図３】
0003210856.tif 000005
【図４】
0003210856.tif 000006
【図５】
0003210856.tif 000007
【図６】
0003210856.tif 000008